【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
被写体との距離情報を基に、撮影画像にぼけを付加する画像処理装置であって、
画像の劣化を回復するためのカーネルである回復カーネルを取得する回復カーネル取得部と、
画像にぼけを付加するためのカーネルであるぼけカーネルを取得するぼけカーネル取得部と、
前記回復カーネルと前記ぼけカーネルとを合成した合成カーネルを取得する合成カーネル取得部と、
前記合成カーネルを用いて、前記撮影画像の劣化を回復し、かつ、該撮影画像にぼけを付加する画像処理部と、
を有し、
前記回復カーネル取得部は、撮影画像上の処理対象領域に対応する距離及び画角に応じた回復カーネルを取得する
ことを特徴とする画像処理装置。
【請求項２】
前記ぼけカーネル取得部は、撮影画像上の処理対象領域に対応する距離及び画角のうち、いずれか一方に応じたぼけカーネルを取得する
ことを特徴とする、請求項１に記載の画像処理装置。
【請求項３】
前記画像処理部は、撮影画像上の処理対象領域に前記合成カーネルを割り当て、前記割り当てられた合成カーネルを用いて画像回復を含むぼけ付加処理を行う
ことを特徴とする、請求項１または２に記載の画像処理装置。
【請求項４】
一つ以上の前記処理対象領域が含まれる領域である、拡張領域を決定する画像領域拡張部をさらに有し、
前記画像領域拡張部は、前記処理対象領域ごとに割り当てられた前記合成カーネルの類似度を判定し、類似していると判定された複数の合成カーネルに対応する処理対象領域を、一つの拡張領域とし、
前記画像処理部は、前記拡張領域について、同一の合成カーネルを用いて、画像回復を含むぼけ付加処理を行う
ことを特徴とする、請求項３に記載の画像処理装置。
【請求項５】
前記画像領域拡張部は、前記処理対象領域に割り当てられた前記合成カーネルの大きさ又は形状に基づいて前記類似度を判定する
ことを特徴とする、請求項４に記載の画像処理装置。
【請求項６】
前記画像領域拡張部は、前記処理対象領域に割り当てられた前記合成カーネルの空間周波数特性に基づいて前記類似度を判定する
ことを特徴とする、請求項４に記載の画像処理装置。
【請求項７】
前記画像領域拡張部は、視覚の空間周波数特性にさらに基づいて前記類似度を判定する
ことを特徴とする、請求項６に記載の画像処理装置。
【請求項８】
前記画像領域拡張部は、前記処理対象領域に割り当てられた前記合成カーネルの空間周波数特性と前記視覚の空間周波数特性との乗算の積算値と、該視覚の空間周波数の積算値との比に基づいて前記類似度を判定する
ことを特徴とする、請求項７に記載の画像処理装置。
【請求項９】
前記回復カーネル取得部は、前記回復カーネルを演算によって生成する、又は、あらかじめ算出しておいた回復カーネルを利用する
ことを特徴とする、請求項１から８のいずれか１項に記載の画像処理装置。
【請求項１０】
被写体の距離情報を基に、撮影画像にぼけを付加する画像処理装置であって、
画像の劣化を回復するためのカーネルである回復カーネルを取得する回復カーネル取得部と、
画像にぼけを付加するためのカーネルであるぼけカーネルを取得するぼけカーネル取得部と、
前記回復カーネルと前記ぼけカーネルを用いて、前記撮像画像の劣化を回復し、かつ、該撮像画像にぼけを付加する画像処理部と、
を有し、
前記回復カーネル取得部は、撮影画像上の処理対象領域に対応する距離及び画角に応じた回復カーネルを取得し、
前記ぼけカーネル取得部は、撮影画像上の処理対象領域に対応する距離及び画角のうち、いずれか一方に応じたぼけカーネルを取得する
ことを特徴とする画像処理装置。
【請求項１１】
撮像手段と、請求項１から請求項１０のいずれか１項に記載の画像処理装置を有する
ことを特徴とする撮像装置。
【請求項１２】
被写体との距離情報を基に、撮影画像にぼけを付加する画像処理装置が行う画像処理方法であって、
画像の劣化を回復するためのカーネルである回復カーネルを取得する回復カーネル取得ステップと、
画像にぼけを付加するためのカーネルであるぼけカーネルを取得するぼけカーネル取得ステップと、
前記回復カーネルと前記ぼけカーネルとを合成した合成カーネルを取得する合成カーネル取得ステップと、
前記合成カーネルを用いて、前記撮影画像の劣化を回復し、かつ、該撮影画像にぼけを付加するぼけ付加ステップと、
を含み、
前記回復カーネル取得ステップでは、撮影画像上の処理対象領域に対応する距離及び画
角に応じた回復カーネルを取得する
ことを特徴とする画像処理方法。
【請求項１３】
被写体の距離情報を基に、撮影画像にぼけを付加する画像処理装置が行う画像処理方法であって、
画像の劣化を回復するためのカーネルである回復カーネルを取得する回復カーネル取得ステップと、
画像にぼけを付加するためのカーネルであるぼけカーネルを取得するぼけカーネル取得ステップと、
前記回復カーネルと前記ぼけカーネルを用いて、前記撮像画像の劣化を回復し、かつ、該撮像画像にぼけを付加するぼけ付加ステップと、
を含み、
前記回復カーネル取得ステップでは、撮影画像上の処理対象領域に対応する距離及び画角に応じた回復カーネルを取得し、
前記ぼけカーネル取得ステップでは、撮影画像上の処理対象領域に対応する距離及び画角のうち、いずれか一方に応じたぼけカーネルを取得する
ことを特徴とする画像処理方法。
【請求項１４】
被写体との距離情報を基に、撮影画像にぼけを付加する画像処理装置に、
画像の劣化を回復するためのカーネルである回復カーネルを取得する回復カーネル取得ステップと、
画像にぼけを付加するためのカーネルであるぼけカーネルを取得するぼけカーネル取得ステップと、
前記回復カーネルと前記ぼけカーネルとを合成した合成カーネルを取得する合成カーネル取得ステップと、
前記合成カーネルを用いて、前記撮影画像の劣化を回復し、かつ、該撮影画像にぼけを付加するぼけ付加ステップと、
を実行させ、
前記回復カーネル取得ステップでは、撮影画像上の処理対象領域に対応する距離及び画角に応じた回復カーネルを取得する
ことを特徴とする画像処理プログラム。
【請求項１５】
被写体の距離情報を基に、撮影画像にぼけを付加する画像処理装置に、
画像の劣化を回復するためのカーネルである回復カーネルを取得する回復カーネル取得ステップと、
画像にぼけを付加するためのカーネルであるぼけカーネルを取得するぼけカーネル取得ステップと、
前記回復カーネルと前記ぼけカーネルを用いて、前記撮像画像の劣化を回復し、かつ、該撮像画像にぼけを付加するぼけ付加ステップと、
を実行させ、
前記回復カーネル取得ステップでは、撮影画像上の処理対象領域に対応する距離及び画角に応じた回復カーネルを取得し、
前記ぼけカーネル取得ステップでは、撮影画像上の処理対象領域に対応する距離及び画角のうち、いずれか一方に応じたぼけカーネルを取得する
ことを特徴とする画像処理プログラム。
【手続補正２】
【補正対象書類名】明細書
【補正対象項目名】０００７
【補正方法】変更
【補正の内容】
【０００７】
上記課題を解決するための、本発明の第一の様態に係る画像処理装置は、
被写体との距離情報を基に、撮影画像にぼけを付加する画像処理装置であって、画像の劣化を回復するためのカーネルである回復カーネルを取得する回復カーネル取得部と、画像にぼけを付加するためのカーネルであるぼけカーネルを取得するぼけカーネル取得部と、前記回復カーネルと前記ぼけカーネルとを合成した合成カーネルを取得する合成カーネル取得部と、前記合成カーネルを用いて、前記撮影画像の劣化を回復し、かつ、該撮影画像にぼけを付加する画像処理部と、を有し、前記回復カーネル取得部は、撮影画像上の処理対象領域に対応する距離及び画角に応じた回復カーネルを取得することを特徴とする。
また、本発明の第二の様態に係る画像処理装置は、
被写体の距離情報を基に、撮影画像にぼけを付加する画像処理装置であって、画像の劣化を回復するためのカーネルである回復カーネルを取得する回復カーネル取得部と、画像にぼけを付加するためのカーネルであるぼけカーネルを取得するぼけカーネル取得部と、前記回復カーネルと前記ぼけカーネルを用いて、前記撮像画像の劣化を回復し、かつ、該撮像画像にぼけを付加する画像処理部と、を有し、前記回復カーネル取得部は、撮影画像上の処理対象領域に対応する距離及び画角に応じた回復カーネルを取得し、前記ぼけカーネル取得部は、撮影画像上の処理対象領域に対応する距離及び画角のうち、いずれか一方に応じたぼけカーネルを取得することを特徴とする。
【手続補正３】
【補正対象書類名】明細書
【補正対象項目名】０００８
【補正方法】変更
【補正の内容】
【０００８】
また、本発明の第一の様態に係る画像処理方法は、
被写体との距離情報を基に、撮影画像にぼけを付加する画像処理装置が行う画像処理方法であって、画像の劣化を回復するためのカーネルである回復カーネルを取得する回復カーネル取得ステップと、画像にぼけを付加するためのカーネルであるぼけカーネルを取得するぼけカーネル取得ステップと、前記回復カーネルと前記ぼけカーネルとを合成した合成カーネルを取得する合成カーネル取得ステップと、前記合成カーネルを用いて、前記撮影画像の劣化を回復し、かつ、該撮影画像にぼけを付加するぼけ付加ステップと、を含み、前記回復カーネル取得ステップでは、撮影画像上の処理対象領域に対応する距離及び画角に応じた回復カーネルを取得することを特徴とする。
また、本発明の第二の様態に係る画像処理方法は、
被写体の距離情報を基に、撮影画像にぼけを付加する画像処理装置が行う画像処理方法であって、画像の劣化を回復するためのカーネルである回復カーネルを取得する回復カーネル取得ステップと、画像にぼけを付加するためのカーネルであるぼけカーネルを取得するぼけカーネル取得ステップと、前記回復カーネルと前記ぼけカーネルを用いて、前記撮像画像の劣化を回復し、かつ、該撮像画像にぼけを付加するぼけ付加ステップと、を含み、前記回復カーネル取得ステップでは、撮影画像上の処理対象領域に対応する距離及び画角に応じた回復カーネルを取得し、前記ぼけカーネル取得ステップでは、撮影画像上の処理対象領域に対応する距離及び画角のうち、いずれか一方に応じたぼけカーネルを取得することを特徴とする。
【手続補正４】
【補正対象書類名】明細書
【補正対象項目名】０００９
【補正方法】変更
【補正の内容】
【０００９】
また、本発明の第一の様態に係る画像処理プログラムは、
被写体との距離情報を基に、撮影画像にぼけを付加する画像処理装置に、画像の劣化を回復するためのカーネルである回復カーネルを取得する回復カーネル取得ステップと、画像にぼけを付加するためのカーネルであるぼけカーネルを取得するぼけカーネル取得ステップと、前記回復カーネルと前記ぼけカーネルとを合成した合成カーネルを取得する合成カーネル取得ステップと、前記合成カーネルを用いて、前記撮影画像の劣化を回復し、かつ、該撮影画像にぼけを付加するぼけ付加ステップと、を実行させ、前記回復カーネル取得ステップでは、撮影画像上の処理対象領域に対応する距離及び画角に応じた回復カーネルを取得することを特徴とする。
また、本発明の第二の様態に係る画像処理プログラムは、
被写体の距離情報を基に、撮影画像にぼけを付加する画像処理装置に、画像の劣化を回復するためのカーネルである回復カーネルを取得する回復カーネル取得ステップと、画像にぼけを付加するためのカーネルであるぼけカーネルを取得するぼけカーネル取得ステップと、前記回復カーネルと前記ぼけカーネルを用いて、前記撮像画像の劣化を回復し、かつ、該撮像画像にぼけを付加するぼけ付加ステップと、を実行させ、前記回復カーネル取得ステップでは、撮影画像上の処理対象領域に対応する距離及び画角に応じた回復カーネルを取得し、前記ぼけカーネル取得ステップでは、撮影画像上の処理対象領域に対応する距離及び画角のうち、いずれか一方に応じたぼけカーネルを取得することを特徴とする。